(57)【要約】【課題】各種の危険対象物の多くに対応ができて、しかも簡易に実施でき、夜間も注意喚起できる柔軟性・絶縁性・夜光性・耐衝撃性を有する注意喚起エアカバーを提供することである。【解決手段】本発明が提供するものは注意喚起エアカバーであり、対象物に付設して人間の注意を喚起するものであって、柔軟性且つ絶縁性の樹脂により構成され、夜間でも視認できる夜光性部と、緩衝のためのエアを内包している又は内包できるエア内包部とを有するものである。【選択図】図１
2006072204.tif 000002
【特許請求の範囲】
【請求項１】
対象物に付設して人間の注意を喚起するものであって、柔軟性且つ絶縁性の樹脂により構成され、夜間でも視認できる夜光性部と、緩衝のためのエアを内包している又は内包できるエア内包部とを有することを特徴とする注意喚起エアカバー。
【請求項２】
注意喚起のための伝達したい表示文字・形状部を付設したことを特徴とする請求項１記載の注意喚起エアカバー。
【請求項３】
注意喚起を強調する色模様部を付設したことを特徴とする請求項１又は請求項２記載の注意喚起エアカバー。
【請求項４】
前記色模様部は前記夜光性部からなることを特徴とする請求項３記載の注意喚起エアカバー。
【請求項５】
前記エア内包部は、エアを注入するエア注入口を有することを特徴とする請求項１から請求項４のいずれか１つに記載の注意喚起エアカバー。
【発明の詳細な説明】
【技術分野】
【０００１】
本発明は、感電の恐れのある危険箇所、落下／つまずき／転倒／打撲の恐れのある穴／段差、危険装置／ペンキ塗り立て、その他存在を知らせて注意を喚起したい場所に簡易に使用して接近する人間に存在を知らせるための柔軟性・絶縁性・夜光性を有する注意喚起エアカバーに関するものである。
【背景技術】
【０００２】
従来、このような注意喚起には、例えば、突起物には、キャップを行うこと、赤い布を巻くこと、黄色と白の縞のテープを巻くことなどが行われてきた。又、別の例では、夜間の
注意喚起に対応して、パイロンと呼ばれるコーンを対象とする場所に立て、点灯する注意灯をつけて注意喚起を行っていた。突起物、感電物、穴などに対応するには各々に適切な手段を各種用意しておく必要があった。例えば、キャップは穴や段差には対応できないので、テープを用意するとかの対象物に対応した用意が必要であり、これでも夜間は対応できないとかの不都合があった。
【発明の開示】
【発明が解決しようとする課題】
【０００３】
この様な背景の中で、各々の対象物に各々の手段で対応する不都合を回避できる簡易な注意喚起手段の出現が望まれてきた。本発明の課題は、これらの各種の対象物の多くに対応ができて、しかも簡易に実施でき、夜間も注意喚起できる柔軟性・絶縁性・夜光性・耐衝撃性を有する手段を提供することである。
【課題を解決するための手段】
【０００４】
本発明は、従来手段の不都合を克服して種々の対象物に対して適用できる柔軟性・絶縁性・夜光性・耐衝撃性の注意喚起手段を提供するもので、そのための手段は、柔軟性・夜光性且つ絶縁性の有機合成樹脂のカバーであって、エアを内包する又は内包できる構造を有するものである。
【０００５】
請求項１記載の発明は、注意喚起エアカバーであって、対象物に付設して人間の注意を喚起するものであって、柔軟性且つ絶縁性の樹脂により構成され、夜間でも視認できる夜光性部と、緩衝のためのエアを内包している又は内包できるエア内包部とを有することを特徴とする。
【０００６】
請求項２記載の発明は、請求項１記載の注意喚起エアカバーにおいて、注意喚起のための伝達したい表示文字・形状部を付設したことを特徴とする。
【０００７】
請求項３記載の発明は、請求項１又は請求項２記載の注意喚起エアカバーにおいて、注意喚起を強調する色模様部を付設したことを特徴とする。
【０００８】
請求項４記載の発明は、請求項３記載の注意喚起エアカバーにおいて、前記色模様部は前記夜光性部からなることを特徴とする。
【０００９】
請求項５記載の発明は、請求項１から請求項４のいずれか１つに記載の注意喚起エアカバーにおいて、前記エア内包部は、エアを注入するエア注入口を有することを特徴とする。
【発明の効果】
【００１０】
以上の様に構成されているので、本発明の注意喚起エアカバーによれば、危険物等に付設することにより、夜間でも発光して、注意を喚起することができる。柔軟であるので、各種の形状の対象物に巻きつけ、かぶせ、穴詰めなど色々な付設が可能である。たまたま
人間が接触しても、衝撃から人間を保護し、絶縁性により感電から防止する。１つで各種の対象物に対応できるので保守上で極めて好都合である。
【発明を実施するための最良の形態】
【００１１】
発明を実施するための最良の形態として、柔軟性且つ絶縁性の有機合成樹脂のシートに夜光性、及びエア内包による耐衝撃性を備えているものである。以下に、実施態様を説明する。
【００１２】
図１は、本発明による柔軟性・絶縁性・夜光性注意喚起エアカバーの一実施態様を示す斜視図及び断面図で有る。１−Ａは袋状となっている。１０１は、袋の開口部であり、この開口部１０１に対象となる突起物を差し込んでカバーするようになる。１−Ｂは、１−Ａのａ−ａでの矢印側から見た断面図であり、袋の内側材１０２が開口部１０１を形成している。袋の外側材１０３と袋の内側材１０２の間には、間隙１０４があって、ここには、緩衝のためのエアが入るようになっている。又、この図では、点線で示す夜光膜１０５が外側材１０３の外側に付設してある。勿論、この夜光膜１０５は、例えば、袋の内側材１０２に付設してしてもよいし、夜光材を分散させることで袋の内側材１０２や外側材１０３自体と一体としても良い。１−Ｄは１−Ａに示す絶縁性・夜光性注意喚起エアカバーの間隙１０４にエアを入れるエア注入口１０６をつけたもので、通常は、エアが抜けているとすると、小さく収納でき、口からエアを吹き込んで膨らませ、テープなどでエア注入口１０６を塞ぐことで、使用状態にできる。勿論、エア注入口１０６が無くて常時エアが内包されていても良い。又、１−Ｄでは、注意喚起のために伝達したい「危険」などの表示文字・形状部１０７が示されている。１−Ｃは、１−Ａの注意喚起エアカバーとの違いは、細長く構成されていることと、開口部１０１がないことである。これは、棒状の突起物などに巻きつけて使用するものである。
【００１３】
図２は、本発明による注意喚起エアカバーの別の実施態様を示す斜視図であって、２−Ａでは、柔軟性のあるカバー基材２０１は、多数のエア内包部２０２を有していて、人間が当たっても怪我しないように緩衝性を有している。カバー基材２０１には、２０５に示すように夜光膜２０５が設けられていて、昼の光を受け、夜には光を発して注意喚起を行うようになっている。２−Ｂでは、夜光膜２０５を特に設けてないが、カバー基材２０１に夜光材を分散させることで対応できる。又、例えば、黄色の帯状の色模様部２０６を備えることで、内容物を守る目的のエアマットと区別できる。エアカバーについては、包装した内容を衝撃から守るものとしてエアマットが製品化されているが、これは、内容物を守る目的なので、外部の人間に存在を誇示したり、外部の人間を衝突の衝撃から守る目的では作られていない。そのため、夜の存在表示のための夜光性もないため、夜は使えない。又、昼でも内容物を守るための包装なのか危険物の存在を示すものか区別がつかないので、通過者は、通常の包装と思って注意喚起を促されないことになる。そのため、そのまま使用することはできない。２−Ｂのように黄色等の帯で注意喚起用のエアカバーであることを明確にすることができる。本実施態様の絶縁性・夜光性注意喚起エアカバーは、カバーしたい対象物の大きさに応じて、適度の大きさに切って使用することができる。穴を塞いだり、大きな穴には鉄板で覆って、これをカバーしたりすることが簡単にできる。又、柔軟であるので、巻いて使用することも可能である。
【００１４】
図１及び図２で説明した柔軟性・絶縁性・夜光性を有する注意喚起エアカバー、例えば図１の袋や図２のエアカバーを構成するには、基材として一層当たりの厚みを０．０１〜０．１０ｍｍとし、ポリエチレン、ポリエステル、ポリプロピレン、ポリオレフィン、ポリイミド、ポリアミドの各樹脂の材料を単独又は組み合わせて用いることができる。これらを貼り合わせて構成できる。特に図２の実施態様については、包装用のエアマットの基材と製造方法（特許文献１、特許文献２、特許文献３）を応用することができる。夜光性の物質としては、光を受けて反射する反射物質、昼間の光を受けて夜間長い間発光する畜光又は燐光物質を適用できる。これらを適当なバインダー樹脂と混合して塗布又はスプレーにより夜光膜を形成してもよいし、基材そのものに分散混合してもよい。夜光膜又は分散混合した場合の基材中の夜光物質の割合は、５〜３０ｗ％ぐらいで、夜光物質は高価であるので、極力少ないほうがよい。反射物質としては、マイクロプリズム型の反射材が知られていて利用できる。畜光又は燐光物質の例としては、根本特殊化学株式会社製のルミノーバが利用できる。
【００１５】
【特許文献１】特開２０００−３１８０７０
【００１６】
【特許文献２】特開２００１−３２２１６２
【００１７】
【特許文献３】特開２００３−８０６１９
【産業上の利用可能性】
【００１８】
以上のような本発明の柔軟性・絶縁性・夜光性注意喚起エアカバーは、接近する人間に危険箇所の存在を知らせたり、接触による怪我を防いだりする必要のある工事現場や保安現場に使用して便利であり、産業上利用性が極めて大きい。
【図面の簡単な説明】
【００１９】
【図１】本発明による注意喚起エアカバーの一実施態様を示す斜視図及び断面図である。
【図２】本発明による注意喚起エアカバーの別の実施態様を示す斜視図である。
【符号の説明】
【００２０】
１０１  袋の開口部
１０２  袋の内側材
１０３  袋の外側材
１０４  間隙
１０５、２０５  夜光膜
１０６  エア注入口
１０７  表示文字・形状部
２０１  カバー基材
２０２  エア内包部
２０６  色模様部
【図１】
2006072204.tif 000003
【図２】
2006072204.tif 000004